(57)【要約】【課題】コンパクト化で高い光学性能を有する光走査装置を提供する。【解決手段】光走査装置は、第１光源１０Ａと、第２光源１０Ｂと、偏向器（ポリゴンミラー３０）と、第１光源１０Ａが出射した第１光束Ｌ１と、第２光源１０Ｂが出射した第２光束Ｌ２が通過し、第１光束Ｌ１と第２光束Ｌ２を偏向器における同一の反射面３１に結像する結像レンズ２０とを備える。結像レンズ２０は、第１光束Ｌ１が主走査方向断面で見て垂直に入射する第１入射面２２Ａと、第１入射面２２Ａに対し主走査方向に並んで配置され、第２光束Ｌ２が主走査方向断面で見て垂直に入射する第２入射面２２Ｂと、第１光束Ｌ１が出射する第１出射面２３Ａと、第１出射面２３Ａに対し主走査方向に並んで配置され、主走査方向断面において第１出射面２３Ａに対して角度をなし、第２光束Ｌ２が出射する第２出射面２３Ｂとを有する。【選択図】図３
2014163977.tif 000002
【特許請求の範囲】
【請求項１】
第１光束を出射する第１光源と、
第２光束を出射する第２光源と、
前記第１光束と前記第２光束を反射する反射面を有し、前記第１光束と前記第２光束を主走査方向に偏向する偏向器と、
前記第１光束と前記第２光束が通過し、前記第１光束と前記第２光束を前記偏向器における同一の前記反射面に結像する結像レンズとを備え、
前記結像レンズは、
前記第１光束が主走査方向断面で見て垂直に入射する第１入射面と、
前記第１入射面に対し主走査方向に並んで配置され、前記第２光束が主走査方向断面で見て垂直に入射する第２入射面と、
前記第１光束が出射する第１出射面と、
前記第１出射面に対し主走査方向に並んで配置され、主走査方向断面において前記第１出射面に対して角度をなし、前記第２光束が出射する第２出射面とを有することを特徴とする光走査装置。
【請求項２】
前記第１入射面および前記第２入射面は、それぞれ前記第１光束および前記第２光束を副走査方向に収束させる屈折力を有することを特徴とする請求項１に記載の光走査装置。
【請求項３】
前記第１入射面および前記第２入射面は、外側に凸となる円筒面であることを特徴とする請求項２に記載の光走査装置。
【請求項４】
前記第１光源と前記第２光源とは、互いに副走査方向にずれて配置され、
前記第１光束が前記第１入射面に入射する位置と前記第２光束が前記第２入射面に入射する位置とは、互いに副走査方向にずれていることを特徴とする請求項１から請求項３のいずれか１項に記載の光走査装置。
【請求項５】
前記第１入射面に入射する第１光束の光軸と前記第２入射面に入射する第２光束の光軸とは、主走査方向から見て平行であることを特徴とする請求項４に記載の光走査装置。
【請求項６】
前記第１入射面と前記第２入射面とは、主走査方向断面において角度をなし、
前記第１入射面と前記第１出射面とは、主走査方向断面において平行であり、
前記第２入射面と前記第２出射面とは、主走査方向断面において平行であることを特徴とする請求項１から請求項５のいずれか１項に記載の光走査装置。
【請求項７】
前記第１入射面と前記第２入射面とは、主走査方向断面において平行であることを特徴とする請求項１から請求項５のいずれか１項に記載の光走査装置。
【請求項８】
前記第１入射面と前記第２入射面とは、連続した円筒面であることを特徴とする請求項７に記載の光走査装置。
【請求項９】
前記第１光源および前記第２光源の少なくとも一方は、複数の光束を出射するように構成されたことを特徴とする請求項１から請求項８のいずれか１項に記載の光走査装置。
【発明の詳細な説明】
【技術分野】
【０００１】
本発明は、光走査装置に関し、特に、部品点数が少なくコンパクト化が可能であるとともに高い光学性能を有する光走査装置に関する。
【背景技術】
【０００２】
レーザプリンタなどの画像形成装置には、静電潜像が形成される感光体を露光するために、光源から出射され、ポリゴンミラーなどの偏向器により偏向されたレーザ光を感光体の表面（被走査面）上で走査する光走査装置が設けられている。
【０００３】
そして、カラー印字を行う画像形成装置の場合には、複数色での印字に対応して複数の光源が設けられる。ここで、光走査装置の部品点数を削減するため、特許文献１のように、２つの光源から出射された２つの光束を一つの結像レンズに通して偏向器に入射させる構成が知られている。この特許文献１の構成においては、２つの光束は主走査方向において互いに角度をなし、結像レンズのレンズ面に対しては斜めに入射している。
【先行技術文献】
【特許文献】
【０００４】
【特許文献１】特開２００９−６９１７８号公報
【発明の概要】
【発明が解決しようとする課題】
【０００５】
しかしながら、特許文献１の光走査装置のように、光束を結像レンズの入射面に対し斜めに入射させると、収差が大きくなり、焦点深度が小さくなるなど、高精度に結像できくなる要因が生じるという問題がある。
【０００６】
本発明は、以上の背景に鑑みてなされたものであり、部品点数が少なくコンパクト化が可能であるとともに高い光学性能を有する光走査装置を提供することを目的とする。
【課題を解決するための手段】
【０００７】
前記した目的を達成するため、本発明の光走査装置は、第１光束を出射する第１光源と、第２光束を出射する第２光源と、第１光束と第２光束を反射する反射面を有し、第１光束と第２光束を主走査方向に偏向する偏向器と、第１光束と第２光束が通過し、第１光束と第２光束を偏向器における同一の反射面に結像する結像レンズとを備える。そして、結像レンズは、第１光束が主走査断面で見て垂直に入射する第１入射面と、第１入射面に対し主走査方向に並んで配置され、第２光束が主走査断面で見て垂直に入射する第２入射面と、第１光束が出射する第１出射面と、第１出射面に対し主走査方向に並んで配置され、主走査方向断面において第１出射面に対して角度をなし、第２光束が出射する第２出射面とを有する。
【０００８】
このような構成によると、第１光源から出射された第１光束と第２光源から出射された第２光束とが１つの結像レンズに入射してそれぞれ偏向器の同一の反射面に結像するので、結像レンズの部品点数を減らすことができ、また、２つの結像レンズを使用する場合に比較して第１光束と第２光束を近づけることができるので、光走査装置をコンパクト化することができる。そして、第１光束は、第１入射面に垂直に入射し、第２光束は第２入射面に垂直に入射するので、収差を小さくして高精度に結像することができる。
【０００９】
前記した光走査装置において、第１入射面および第２入射面は、それぞれ第１光束および第２光束を副走査方向に収束させる屈折力を有する構成とすることができる。
【００１０】
このように、光束が入射する面に屈折力を持たせることによって、主に出射する面に屈折力を持たせる場合に比較して収差を小さくすることができる。
【００１１】
また、この構成において、第１入射面および第２入射面は、外側に凸となる円筒面とすることができる。
【００１２】
この構成によれば、結像レンズの製造が容易である。
【００１３】
前記した光走査装置において、第１光源と第２光源とは、互いに副走査方向にずれて配置され、第１光束が第１入射面に入射する位置と第２光束が第２入射面に入射する位置とは、互いに副走査方向にずれた構成とすることができる。
【００１４】
このように、第１光束と第２光束とを副走査方向にずらすことで、偏向器で偏向された光を副走査方向に分離することができる。
【００１５】
この光走査装置において、第１入射面に入射する第１光束の光軸と第２入射面に入射する第２光束の光軸とは、主走査方向から見て平行とすることができる。
【００１６】
このような構成によれば、光源を配置し易く、第１光源の発光素子と第２光源の発光素子を共通の回路基板に配置することもできる。
【００１７】
前記した光走査装置において、第１入射面と第２入射面とは、主走査方向断面において角度をなし、第１入射面と第１出射面とは、主走査方向断面において平行であり、第２入射面と第２出射面とは、主走査方向断面において平行である構成とすることができる。
【００１８】
この構成によると、主走査方向断面で見て、光束が出射面から垂直に出射するので、収差をより小さくすることができる。
【００１９】
この構成において、第１入射面と第２入射面とは、主走査方向断面において平行とすることができる。
【００２０】
このような構成によれば、光源を同じ向きで並べて配置することができるので、平板状の回路基板に垂直に光源を並べて配置することができ、構成が簡易となる。
【００２１】
この構成においては、第１入射面と第２入射面とは、連続した円筒面とすることができる。
【００２２】
このようにすることで、結像レンズを製造しやすくなる。
【００２３】
前記した光走査装置において、第１光源および第２光源の少なくとも一方は、複数の光束を出射するように構成することができる。
【発明の効果】
【００２４】
本発明によれば、光走査装置の部品点数を少なくしてコンパクト化が可能であるとともに高い光学性能を実現することができる。
【図面の簡単な説明】
【００２５】
【図１】第１実施形態に係る光走査装置の平面図である。
【図２】図１のII−II断面図である。
【図３】図１における一方の入射光学系と偏向器の拡大図である。
【図４】結像レンズを入射側から見た斜視図（ａ）と、出射側から見た斜視図（ｂ）である。
【図５】図４（ａ）の結像レンズのＸ−Ｘ断面図である。
【図６】（ａ）図４（ａ）の結像レンズＹ−Ｙ断面ならびに第１光源、コリメートレンズおよびポリゴンミラーの配置を示す図と、（ｂ）図４（ａ）のＺ−Ｚ断面ならびに第２光源、コリメートレンズおよびポリゴンミラーの配置を示す図である。
【図７】第２実施形態における結像レンズを入射側から見た斜視図（ａ）と、出射側から見た斜視図（ｂ）である。
【図８】（ａ）第２実施形態における結像レンズの主走査方向断面図と、（ｂ）第２実施形態における結像レンズの副走査方向断面図である。
【図９】第２実施形態における光源、コリメートレンズ、結像レンズおよび偏向器の配置を示す平面図である。
【図１０】マルチビーム型の半導体レーザを出射側から見た図（ａ）と、これを用いた入射光学系の平面図（ｂ）である。
【発明を実施するための形態】
【００２６】
［第１実施形態］
次に、本発明の第１実施形態について、適宜図面を参照しながら詳細に説明する。
図１，２に示すように、光走査装置１は、ケーシング６０に、入射光学系Ａ１と、偏向器の一例としてのポリゴンミラー３０と、ｆθレンズ４１と、シリンドリカルレンズ４２と、反射鏡５１，５２を備えている。この光走査装置１は、シアン、イエロー、マゼンタおよびブラックの４色を用いてカラー印刷を実現する電子写真方式のカラープリンタなどに使用されるものであり、光走査装置１が走査露光する４つの感光ドラムＤ（図２参照）に対応して、入射光学系Ａ１からは、第１光束Ｌ１，第２光束Ｌ２，第３光束Ｌ３，第４光束Ｌ４の４つの光束が出射されている。ポリゴンミラー３０は、回転中心から等距離の位置に反射面３１が複数設けられており、本実施形態においては、一例として６つの反射面３１が設けられている。４つ光束Ｌ１〜Ｌ４は、ポリゴンミラー３０の反射面３１に入射されて、図１の紙面に略平行な面内で主走査方向に偏向されるようになっている。
【００２７】
なお、以下の説明において、「主走査方向」とは、光束の進行方向に直交し光束が偏向器により偏向される方向であり、空間的に異なる方向であっても、光束を基準として使用する。また、「副走査方向」とは、光束の進行方向と主走査方向の両方に直交する方向である。さらに、以下の説明において、上下前後左右は、実際の使用時の上下前後左右とは関係無く、図１，２に示されている状態における上下前後左右をいうものとする。
【００２８】
第１光束Ｌ１と第２光束Ｌ２とはポリゴンミラー３０の同一の反射面３１に入射するように、その光軸が副走査方向から見て互いに平行ではなく角度をなしている。そして、第１光束Ｌ１および第２光束Ｌ２は、図１および図２に示すように、共通のｆθレンズ４１を通過した後、個別に設けられた反射鏡５１，５２により反射され、また、シリンドリカルレンズ４２を通過して各感光ドラムＤに導かれている。
【００２９】
光走査装置１の各光学要素は、ポリゴンミラー３０の回転中心を基準として左右対称に構成され、第３光束Ｌ３と第４光束Ｌ４も、第１光束Ｌ１および第２光束Ｌ２と左右対称の経路で各感光ドラムＤに導かれるようになっている。そのため、以下の入射光学系Ａ１の説明においても、第１光束Ｌ１と第２光束Ｌ２に対応する要素のみを説明し、第３光束Ｌ３および第４光束Ｌ４に対応する要素については説明を省略する。
【００３０】
図３に示すように、入射光学系Ａ１は、第１光束Ｌ１を出射する第１光源１０Ａと、第２光束Ｌ２を出射する第２光源１０Ｂと、第１光束Ｌ１と第２光束Ｌ２が通過し、第１光束Ｌ１と第２光束Ｌ２をポリゴンミラー３０における同一の反射面３１に結像する結像レンズ２０とを有している。第１光源１０Ａは、発光素子としての半導体レーザ１１Ａとコリメートレンズ１２Ａを備え、第２光源１０Ｂは、発光素子としての半導体レーザ１１Ｂとコリメートレンズ１２Ｂを備えている。
【００３１】
半導体レーザ１１Ａは、１つの点光源からレーザ光を発する素子であり、位置決め用のベース１５に位置決めされて固定されている。半導体レーザ１１Ｂは、半導体レーザ１１Ｂと同じものであり、位置決め用のベース１５に位置決めされて固定されている。半導体レーザ１１Ａと半導体レーザ１１Ｂは、出射される光束の光軸が副走査方向から見て互いに平行ではなく角度をなすように、互いに角度をなして配置されている。すなわち、ベース１５の位置決め部は、半導体レーザ１１Ａと半導体レーザ１１Ｂを互いに平行から少しずらして支持するように構成されている。
【００３２】
コリメートレンズ１２Ａは、点光源である半導体レーザ１１Ａから出射された発散するレーザ光を略平行な光束に変換するレンズである。コリメートレンズ１２Ａは、その光軸が半導体レーザ１１Ａから出射されたレーザ光の光軸（中心線）と合うように配置されている。コリメートレンズ１２Ｂは、コリメートレンズ１２Ａと同じものであり、半導体レーザ１１Ａとコリメートレンズ１２Ａの位置関係と同様に、半導体レーザ１１Ｂの正面に配置されている。
【００３３】
結像レンズ２０は、第１光束Ｌ１と第２光束Ｌ２に対応して１つ設けられており、第１光束Ｌ１と第２光束Ｌ２が通過して、これらをポリゴンミラー３０の反射面３１に副走査方向に収束して、反射面３１の上で主走査方向に延びる線状に結像させるレンズである。本実施形態においては、第１光束Ｌ１と第２光束Ｌ２は、反射面３１の上で重なる位置に結像されている。このため、図４（ａ），（ｂ）に示すように、第１光束Ｌ１が通過する部分である第１レンズ部２１Ａと、第１レンズ部２１Ａに対し主走査方向に並んで配置され、第２光束Ｌ２が通過する部分である第２レンズ部２１Ｂとを有している。第１レンズ部２１Ａと第２レンズ部２１Ｂとは一体になっており、さらに、第１レンズ部２１Ａと第２レンズ部２１Ｂの周囲に、これらと一体に枠部２５が設けられている。これらの第１レンズ部２１Ａ，第２レンズ部２１Ｂおよび枠部２５は、樹脂またはガラスにより一体に成形されている。
【００３４】
図４（ａ）に示すように、第１レンズ部２１Ａは、第１光束Ｌ１が入射する第１入射面２２Ａを有し、第２レンズ部２１Ｂは、第２光束Ｌ２が入射する第２入射面２２Ｂを有している。これらの第１入射面２２Ａと第２入射面２２Ｂとは主走査方向に並んで配置されている。第１入射面２２Ａは、外側、すなわち第１光源１０Ａ側に向けて凸となる円筒面であり、図６（ａ）に示すように、副走査方向断面（主走査方向に直交する断面）において円弧形状を有している。第２入射面２２Ｂも、第１入射面２２Ａと同じ曲率半径を有する外側、すなわち第１光源１０Ｂ側に向けてに凸となる円筒面であり、図６（ｂ）に示すように、副走査方向断面において円弧形状を有している。このため、第１入射面２２Ａと第２入射面２２Ｂとは、それぞれ、第１光束Ｌ１および第２光束Ｌ２を副走査方向に収束させる屈折力を有するシリンドリカルレンズであり、しかも、その屈折力は同じとなっている。なお、図４（ａ）において、第１入射面２２Ａは、第１光束Ｌ１の入射方向に直交する主走査方向に沿った中心線を有する円筒面となっており、第２入射面２２Ｂは、第２光束Ｌ２の入射方向に直交する主走査方向に沿った中心線を有する円筒面となっている。
【００３５】
また、図４（ｂ）に示すように、第１レンズ部２１Ａは、第１光束Ｌ１が出射する第１出射面２３Ａを有し、第２レンズ部２１Ｂは、第２光束Ｌ２が出射する第２出射面２３Ｂを有している。第１出射面２３Ａおよび第２出射面２３Ｂは、共に平面である。
【００３６】
図５に示すように、第１入射面２２Ａは、主走査方向断面（副走査方向に垂直な断面）で見て、第１光束Ｌ１が垂直に入射するように構成されている。第２入射面２２Ｂも同様に、主走査方向断面で見て、第２光束Ｌ２が垂直に入射するように構成されている。このため、第１入射面２２Ａと第２入射面２２Ｂは、主走査方向断面において平行ではなく、互いに僅かに角度をなしている。
【００３７】
第１出射面２３Ａは、主走査方向断面において第１入射面２２Ａと平行であり、そのため、第１光束Ｌ１が垂直に出射するように構成されている。第２出射面２３Ｂも同様に、主走査方向断面において第２入射面２２Ｂと平行であり、そのため、第２光束Ｌ２が垂直に出射するように構成されている。このため、第１出射面２３Ａと第２出射面２３Ｂは、主走査方向断面において平行ではなく、互いに僅かに角度をなしている。
【００３８】
図６（ａ），（ｂ）に示すように、第１光源１０Ａと第２光源１０Ｂとは、互いに副走査方向にずれて配置されている。具体的には、第１光源１０Ａは、第１光束Ｌ１の光軸ＣＡが、第１入射面２２Ａの円筒面の頂点を通る光軸方向の中心線Ｃ１に対し、上側にずれるように配置され、第２光源１０Ｂは、第２光束Ｌ２の光軸ＣＢが、第２入射面２２Ｂの円筒面の頂点を通る光軸方向の中心線Ｃ２に対し、下側にずれるように配置されている。なお、第１入射面２２Ａの光軸方向の中心線Ｃ１と第２入射面２２Ｂの光軸方向の中心線Ｃ２とは上下方向（副走査方向）において同じ位置にある。
【００３９】
そして、第１入射面２２Ａおよび第２入射面２２Ｂに入射する前の第１光束Ｌ１の光軸ＣＡと第２光束Ｌ２の光軸ＣＢとは、主走査方向から見て互いに平行となっている。そのため、第１光束Ｌ１は、光軸方向の中心線Ｃ１より上側に入射し、第２光束Ｌ２は、光軸方向の中心線Ｃ２よりも下側に入射している。すなわち、第１光束Ｌ１と第２光束Ｌ２とは、結像レンズ２０の光学的な中心を挟んで互いに反対側の位置に入射している。このため、結像レンズ２０から出射した第１光束Ｌ１は、下向きに僅かに傾いて出射され、第２光束Ｌ２は、上向きに僅かに傾いて出射され、共にポリゴンミラー３０の反射面３１の略同じ高さの位置に入射するようになっている。そして、第１光束Ｌ１と第２光束Ｌ２とが結像レンズ２０の光学的な中心に対して僅かに傾いて入射することにより、図２に示したように、第１光束Ｌ１と第２光束Ｌ２とは、ポリゴンミラー３０から異なる方向に出射するようになっている。
【００４０】
上記のような第１光源１０Ａおよび第２光源１０Ｂの構成により、半導体レーザ１１Ａおよび半導体レーザ１１Ｂは、副走査方向から見て互いに僅かに傾いているが（図３参照）、主走査方向から見て、共に上下方向に対して傾いていないので、共通の一つの回路基板１８に配置することが可能である。
【００４１】
以上のように構成された光走査装置１によれば、第１光源１０Ａから出射された第１光束Ｌ１と第２光源１０Ｂから出射された第２光束Ｌ２とが１つの結像レンズ２０に入射してそれぞれポリゴンミラー３０の同一の反射面３１に結像するので、各光束に対応して個別の結像レンズを設ける場合に比較して結像レンズ２０の部品点数を減らすことができる。また、個別の結像レンズを使用する場合に比較して第１レンズ部２１Ａと第２レンズ部２１Ｂを近づけ、第１光束Ｌ１と第２光束Ｌ２を近づけることができるので、光走査装置１をコンパクト化することができる。そして、第１光束Ｌ１は、第１入射面２２Ａに垂直に入射し、第２光束Ｌ２は第２入射面２２Ｂに垂直に入射するので、収差を小さくして反射面３１および感光ドラムＤの表面に高精度に結像することができる。
【００４２】
そして、結像レンズ２０は、第１光束Ｌ１および第２光束Ｌ２が入射する面に屈折力を持たせることによって、主に出射側に屈折力を持たせる場合に比較して収差を小さくすることができる。
【００４３】
また、第１入射面２２Ａおよび第２入射面２２Ｂは、外側に凸となる円筒面を有する、シリンドリカルレンズであるので、製造が容易である。
【００４４】
さらに、第１光源１０Ａと第２光源１０Ｂとは、副走査方向にずれており、第１光束Ｌ１と第２光束Ｌ２が結像レンズ２０に入射する位置も副走査方向にずれており、結像レンズ２０から出射される第１光束Ｌ１と第２光束Ｌ２は、主走査方向から見て互いに角度をなしてポリゴンミラー３０の反射面３１に入射する。そのため、ポリゴンミラー３０で偏向された第１光束Ｌ１と第２光束Ｌ２を副走査方向に分離することができるので、主走査方向に分離する場合に比較して、第１光源１０Ａと第２光源１０Ｂを近づけて配置でき、光走査装置１をコンパクトに構成することができる。
【００４５】
また、第１光束Ｌ１の光軸ＣＡと第２光束Ｌ２の光軸ＣＢとを主走査方向から見て平行とすることで、半導体レーザ１１Ａと半導体レーザ１１Ｂを共通の回路基板１８に配置することができ、組み立てを容易にし、コストダウンを図ることができる。
【００４６】
また、本実施形態の光走査装置１は、第１入射面２２Ａと第１出射面２３Ａとは、主走査方向断面において平行であり、第２入射面２２Ｂと第２出射面２３Ｂとは、主走査方向断面において平行であるため、収差を特に小さくすることができる。
【００４７】
［第２実施形態］
次に、本発明の第２実施形態について説明する。第２実施形態においては、第１実施形態と異なる点についてのみ説明し、第１実施形態と同じ部分については、図面に同じ符号を付して説明を省略する。
【００４８】
第２実施形態に係る光走査装置は、第１実施形態に対し、結像レンズの構成と半導体レーザの配置が異なる。図７（ａ），（ｂ）に示すように、第２実施形態における結像レンズ１２０は、第１光束Ｌ１と第２光束Ｌ２に対応して１つ設けられており、第１光束Ｌ１が通過する部分である第１レンズ部１２１Ａと、第１レンズ部１２１Ａに対し主走査方向に並んで配置され、第２光束Ｌ２が通過する部分である第２レンズ部１２１Ｂとを有している。第１レンズ部１２１Ａと第２レンズ部１２１Ｂとは一体になっており、さらに、第１レンズ部１２１Ａと第２レンズ部１２１Ｂの周囲に、これらと一体に枠部１２５が設けられている。これらの第１レンズ部１２１Ａ，第２レンズ部１２１Ｂおよび枠部１２５は、樹脂またはガラスにより一体に成形されている。
【００４９】
図７（ａ）および図８（ｂ）に示すように、第１レンズ部１２１Ａの第１入射面１２２Ａと第２レンズ部１２１Ｂの第２入射面１２２Ｂとは、共に外側に凸となる円筒面（主走査方向に延びる線を中心とする円筒面）であり、これらが連続した１つの円筒面として形成されている。このため、第１入射面１２２Ａと第２入射面１２２Ｂとは、それぞれ、第１光束Ｌ１および第２光束Ｌ２を副走査方向に収束させる屈折力を有し、しかも、その屈折力は同じで、互いに平行でもある。
【００５０】
一方、図７（ｂ）および図８（ａ），（ｂ）に示すように、第１レンズ部１２１Ａの第１出射面１２３Ａと、第２レンズ部１２１Ｂの第２出射面１２３Ｂとは、共に平面である。そして、図８（ｂ）に示すように、第１出射面１２３Ａと第２出射面１２３Ｂとは、主走査方向断面において平行ではなく、互いに僅かに角度をなしている。このため、第１出射面１２３Ａは、主走査方向断面において第１入射面１２２Ａと平行ではなく、第２出射面１２３Ｂも同様に、主走査方向断面において第２入射面１２２Ｂと平行ではない。そして、第１出射面１２３Ａは第１光束Ｌ１を主走査方向に屈折させ、第２出射面１２３Ａは、第２光束Ｌ２を主走査方向に屈折させる。なお、第１入射面１２２Ａおよび第２入射面１２２Ｂに入射する前の第１光束Ｌ１の光軸と第２光束Ｌ２の光軸とは、主走査方向および副走査方向のいずれから見ても平行である。
【００５１】
図９に示すように、本実施形態における入射光学系Ａ２は、４つの光源１０Ａ〜１０Ｂを備え、第１光源１０Ａおよび第２光源１０Ｂから出射される第１光束Ｌ１および第２光束Ｌ２が一つの結像レンズ１２０に入射され、第３光源１０Ｃおよび第４光源１０Ｄから出射される第３光束Ｌ３および第４光束Ｌ４がもう一つの結像レンズ１２０に入射されるように構成されている。各光源１０Ａ〜１０Ｄは、それぞれ、半導体レーザ１１Ａ〜１１Ｄと、コリメートレンズ１２Ａ〜１２Ｄを有している。
【００５２】
２つの結像レンズ１２０は、主走査方向に並んで同じ向きに配置され、それぞれの入射面に対し４つの光源１０Ａ〜１０Ｂから出射される第１〜第４の光束Ｌ１〜Ｌ４が垂直に入射されるように光源１０Ａ〜１０Ｂが配置されている。このため、半導体レーザ１１Ａ〜１１Ｄは、主走査方向に並んで同じ向きに配置され、コリメートレンズ１２Ａ〜１２Ｄも、主走査方向に並んで同じ向きに配置されている。そして、４つの半導体レーザ１１Ａ〜１１Ｄは、一つの平板状の回路基板１１８に設けられている。
【００５３】
以上のような構成の光走査装置によると、結像レンズ１２０の第１入射面１２２Ａと第２入射面１２２Ｂとは、連続した円筒面であるので、製造が容易である。そして、第１光源１０Ａと第２光源１０Ｂを同じ向きに配置することができ、半導体レーザ１１Ａ，１１Ｂを１つの回路基板１１８に共に垂直に配置することができるので、第１光源１０Ａと第２光源１０Ｂの構成が簡易で製造も容易である。
【００５４】
以上に本発明の実施形態について説明したが、本発明は前記実施形態に限定されることなく適宜変形して実施することができる。
【００５５】
例えば、前記実施形態においては、半導体レーザ１１Ａ〜１１Ｄとして１つの発光点を有するものを例示したが、図１０（ａ）に示す半導体レーザ３１１のように、複数、例えば２つの発光点３１９Ａ，３１９Ｂを有するマルチビーム型のものを用いてもよい。この場合、図１０（ｂ）に示すように、１つの半導体レーザ３１１Ａから出射されてコリメートレンズ１２Ａを通過した第１光束Ｌ１および第３光束Ｌ１１は、第１レンズ部１２１Ａを通過し、もう一つの半導体レーザ３１１Ｂから出射されてコリメートレンズ１２Ｂを通過した第２光束Ｌ２および第４光束Ｌ２１は第２レンズ部１２１Ｂを通過する。ここで、第１光束Ｌ１の光軸と第３光束Ｌ１１の光軸とは、略平行であるので第１入射面１２２Ａに対し主走査方向断面において垂直に入射させることができ、第２光束Ｌ２の光軸と第４光束Ｌ２１の光軸とは、略平行であるので第２入射面１２２Ｂに対し主走査方向断面において垂直に入射させることができる。
すなわち、本発明は、少なくとも１つの光源が複数の光束を出射するように構成された場合にも適用することができる。
【００５６】
また、前記実施形態においては、結像レンズは、２つのレンズ部が合体した一つのレンズとして構成されていたが、３つ以上のレンズ部が合体した一つのレンズとして構成されていてもよい。この場合にも、３つ以上の光束のそれぞれが、各レンズ部の入射面に主走査方向断面で見て垂直に入射するように配置され、各出射面が主走査方向断面において互いに角度をなすように配置されているとよい。
【００５７】
前記実施形態においては、結像レンズは、入射面が外側に凸の曲面で、出射面が平面で構成されていたが、入射面と出射面の両方が曲面であってもよいし、入射面が平面で出射面が曲面であってもよい。また、結像レンズとして回折レンズを採用することもできる。
【符号の説明】
【００５８】
１      光走査装置
１０Ａ  第１光源
１０Ｂ  第２光源
１１Ａ  半導体レーザ
１１Ｂ  半導体レーザ
１２Ａ  コリメートレンズ
１２Ｂ  コリメートレンズ
１８    回路基板
２０    結像レンズ
２１Ａ  第１レンズ部
２１Ｂ  第２レンズ部
２２Ａ  第１入射面
２２Ｂ  第２入射面
２３Ａ  第１出射面
２３Ｂ  第２出射面
３０    ポリゴンミラー
３１    反射面
Ａ１    入射光学系
Ｃ１    中心線
Ｃ２    中心線
ＣＡ    光軸
ＣＢ    光軸
Ｄ      感光ドラム
Ｌ１    第１光束
Ｌ２    第２光束
【図１】
2014163977.tif 000003
【図２】
2014163977.tif 000004
【図３】
2014163977.tif 000005
【図４】
2014163977.tif 000006
【図５】
2014163977.tif 000007
【図６】
2014163977.tif 000008
【図７】
2014163977.tif 000009
【図８】
2014163977.tif 000010
【図９】
2014163977.tif 000011
【図１０】
2014163977.tif 000012